(57)【特許請求の範囲】
【請求項１】
画像処理に係るジョブを実行するジョブ実行手段と、
ユーザから入力された認証情報を用いた認証が成功した場合に前記ジョブ実行手段によって実行するジョブの操作を許可する認証手段とを備えた画像処理装置であって、
ユーザからのジョブ実行停止指示を検出するジョブ実行停止指示検出手段と、
該ジョブ実行停止指示検出手段がジョブ実行停止指示を検出したとき、前記ユーザからの認証情報の入力を受け付けることなく、且つ前記認証手段による認証を経ることなく、前記ユーザから実行中のジョブの操作、及び実行待機中のジョブの一覧表示の指示を受け付ける第１指示受付手段と、
該第１指示受付手段が前記実行待機中のジョブの一覧表示の指示を受け付けた場合、表示手段に実行待機中のジョブを一覧表示する一覧画面を表示させ、前記ユーザからの前記一覧画面でのジョブの選択の指示と該選択されたジョブの操作の指示を受け付ける第２指示受付手段と、
前記第１指示受付手段が前記実行中のジョブの操作の指示を受け付けた場合に前記認証情報の入力を受け付け、前記第２指示受付手段が前記実行待機中のジョブの操作の指示を受け付けた場合にも前記認証情報の入力を受け付ける認証情報受付手段と、
前記第１指示受付手段で受け付けた実行中のジョブの操作の指示に基いて前記認証情報受付手段で受け付けた認証情報を用いて前記認証手段が認証に成功して前記実行中のジョブの操作を許可した場合は、前記実行中のジョブの操作を実行し、前記第２指示受付手段で受け付けたジョブの選択の指示と該選択されたジョブの操作の指示に基いて前記認証情報受付手段で受け付けた認証情報を用いて前記認証手段が認証に成功して前記選択された実行待機中のジョブの操作を許可した場合は、前記選択された実行待機中のジョブの操作を実行する操作実行手段と、
前記ジョブ実行停止指示検出手段がジョブ実行停止指示を検出したとき、実行待機中のジョブの有無を判断する判断手段と、
該判断手段が実行待機中のジョブがあると判断した場合は、前記第１指示受付手段を有効にし、前記判断手段が実行待機中のジョブがないと判断した場合は、前記第１指示受付手段を無効にし、前記認証情報受付手段に前記認証情報の入力を受け付けさせ、該認証情報受付手段が受け付けた認証情報を用いて前記認証手段が認証に成功して前記実行中のジョブの操作を許可した場合は、前記操作実行手段に前記実行中のジョブの操作を実行させる手段とを備えたことを特徴とする画像処理装置。
【請求項２】
画像処理に係るジョブを実行する画像処理装置の処理方法であって、
画像処理に係るジョブを実行するジョブ実行工程と、
ユーザから入力された認証情報を用いた認証が成功した場合に前記ジョブ実行工程によって実行するジョブの操作を許可する認証工程と、
ユーザからのジョブ実行停止指示を検出するジョブ実行停止指示検出工程と、
該ジョブ実行停止指示検出工程でジョブ実行停止指示を検出したとき、前記ユーザからの認証情報の入力を受け付けることなく、且つ前記認証工程による認証を経ることなく、前記ユーザから実行中のジョブの操作、及び実行待機中のジョブの一覧表示の指示を受け付ける第１指示受付工程と、
該第１指示受付工程で前記実行待機中のジョブの一覧表示の指示を受け付けた場合、表示手段に実行待機中のジョブを一覧表示する一覧画面を表示させ、前記ユーザからの前記一覧画面でのジョブの選択の指示と該選択されたジョブの操作の指示を受け付ける第２指示受付工程と、
前記第１指示受付工程で前記実行中のジョブの操作の指示を受け付けた場合に前記認証情報の入力を受け付け、前記第２指示受付工程で前記実行待機中のジョブの操作の指示を受け付けた場合にも前記認証情報の入力を受け付ける認証情報受付工程と、
前記第１指示受付工程で受け付けた実行中のジョブの操作の指示に基いて前記認証情報受付工程で受け付けた認証情報を用いて前記認証工程で認証に成功して前記実行中のジョブの操作を許可した場合は、前記実行中のジョブの操作を実行し、前記第２指示受付工程で受け付けたジョブの選択の指示と該選択されたジョブの操作の指示に基いて前記認証情報受付工程で受け付けた認証情報を用いて前記認証工程で認証に成功して前記選択された実行待機中のジョブの操作を許可した場合は、前記選択された実行待機中のジョブの操作を実行する操作実行工程と
前記ジョブ実行停止指示検出工程でジョブ実行停止指示を検出したとき、実行待機中のジョブの有無を判断する判断工程と、該判断工程で実行待機中のジョブがあると判断した場合、前記第１指示受付工程を有効にし、実行待機中のジョブがないと判断した場合、前記第１指示受付工程を無効にし、前記認証情報の入力を受け付け、該受け付けた認証情報を用いて前記認証工程で認証に成功して前記実行中のジョブの操作を許可した場合は、前記操作実行工程で前記実行中のジョブの操作を実行させる工程と、
前記ジョブ実行停止指示検出工程でジョブ実行停止指示を検出したとき、実行待機中のジョブの有無を判断する判断工程と、
該判断工程で実行待機中のジョブがあると判断した場合は、前記第１指示受付工程を有効にし、前記判断工程で実行待機中のジョブがないと判断した場合は、前記第１指示受付工程を無効にし、前記認証情報受付工程に前記認証情報の入力を受け付けさせ、該認証情報受付工程で受け付けた認証情報を用いて前記認証工程で認証に成功して前記実行中のジョブの操作を許可した場合は、前記操作実行工程で前記実行中のジョブの操作を実行させる工程とからなることを特徴とする画像処理装置の処理方法。
【請求項３】
画像処理装置を制御するコンピュータに、
画像処理に係るジョブを実行するジョブ実行手順と、
ユーザから入力された認証情報を用いた認証が成功した場合に前記ジョブ実行手順によって実行するジョブの操作を許可する認証手順と、
ユーザからのジョブ実行停止指示を検出するジョブ実行停止指示検出手順と、
該ジョブ実行停止指示検出手順でジョブ実行停止指示を検出したとき、前記ユーザからの認証情報の入力を受け付けることなく、且つ前記認証手順による認証を経ることなく、前記ユーザから実行中のジョブの操作、及び実行待機中のジョブの一覧表示の指示を受け付ける第１指示受付手順と、
該第１指示受付手順で前記実行待機中のジョブの一覧表示の指示を受け付けた場合、表示手段に実行待機中のジョブを一覧表示する一覧画面を表示させ、前記ユーザからの前記一覧画面でのジョブの選択の指示と該選択されたジョブの操作の指示を受け付ける第２指示受付手順と、
前記第１指示受付手順で前記実行中のジョブの操作の指示を受け付けた場合に前記認証情報の入力を受け付け、前記第２指示受付手順で前記実行待機中のジョブの操作の指示を受け付けた場合にも前記認証情報の入力を受け付ける認証情報受付手順と、
前記第１指示受付手順で受け付けた実行中のジョブの操作の指示に基いて前記認証情報受付手順で受け付けた認証情報を用いて前記認証手順で認証に成功して前記実行中のジョブの操作を許可した場合は、前記実行中のジョブの操作を実行し、前記第２指示受付手順で受け付けたジョブの選択の指示と該選択されたジョブの操作の指示に基いて前記認証情報受付手順で受け付けた認証情報を用いて前記認証手順で認証に成功して前記選択された実行待機中のジョブの操作を許可した場合は、前記選択された実行待機中のジョブの操作を実行する操作実行手順と、
前記ジョブ実行停止指示検出手順でジョブ実行停止指示を検出したとき、実行待機中のジョブの有無を判断する判断手順と、
該判断手順で実行待機中のジョブがあると判断した場合は、前記第１指示受付手順を有効にし、前記判断手順実行待機中のジョブがないと判断した場合は、前記第１指示受付手順を無効にし、前記認証情報受付手順に前記認証情報の入力を受け付けさせ、該認証情報受付手順で受け付けた認証情報を用いて前記認証手順で認証に成功して前記実行中のジョブの操作を許可した場合は、前記操作実行手順で前記実行中のジョブの操作を実行させる手順とを実行させるためのプログラム。
【発明の詳細な説明】
【技術分野】
【０００１】
この発明は、ファクシミリ装置、画像読取装置、プリント装置、複写装置、並びにそれらの装置の機能を備えた複合装置を含む画像処理装置と画像処理装置の処理方法とプログラムに関する。
【背景技術】
【０００２】
近年、ファクシミリ装置、画像読取装置、プリント装置、複写装置、並びにそれらの装置の機能を備えた複合装置を含む画像処理装置では、紙の節約などが求められ、ユーザから印刷ミスを防ぎたいという要求が強まっている。
また、上記画像処理装置には、セキュリティを向上したいという要求も存在し、ユーザによって使用できるアプリとできないアプリなどの設定ができるようにすることや、他人の予約ジョブに対する操作はできないようにすることも必要となっている。
上記アプリとは、ファクシミリ通信、ネットワーク通信（インターネットを利用した通信も含む）、画像読取（スキャナ）、印刷（プリント）、又は複写（コピー）を実行する機能をいう。
【０００３】
従来、予約ジョブの１つが選択され、その選択された予約ジョブに対する設定変更又は削除の指示が入力された場合、上記予約ジョブに対して登録されたユーザＩＤを表示すると共に、そのユーザＩＤに対応するパスワードの入力を促すユーザ認証の画面を表示する。
そして、ユーザ認証の画面に入力されたパスワードが上記予約ジョブに登録されたユーザＩＤに対応するパスワードと合致したと判断した場合、上記予約ジョブに対する設定変更又は削除の操作を可能にする画像処理装置（例えば、特許文献１参照）があった。
しかし、上述した従来の技術では、ユーザ認証が成功する前に設定変更又は削除の操作対象である予約ジョブが終了してしまう恐れがあった。
【０００４】
そこで、ログインした画像形成ジョブのコピー印刷実行中にクリア／ストップキーが押下されると、印刷出力を一旦停止して認証画面を表示する。
次に、認証画面に入力されたユーザ名とパスワードが上記画像形成ジョブに登録されたユーザＩＤとパスワードとにそれぞれ一致したと判定した場合、認証画面を閉じてコピー動作中断画面を表示する。
そして、上記コピー動作中断画面に表示した中止キーが押下されたと判定した場合、上記ログインした画像形成ジョブのコピー印刷を中止する画像処理装置（例えば、特許文献２参照）があった。
【発明の概要】
【発明が解決しようとする課題】
【０００５】
しかしながら、上述したログインした画像形成ジョブのコピー印刷実行中にそのコピー印刷を中止する技術は、実行中以外の他の予約ジョブに対する設定変更又は削除の操作を可能にするものではなかった。
もし、コピー、プリント、スキャナ等の各アプリ毎にアプリ利用権限を設定可能にした場合、ユーザは、画像処理装置の利用の認証に成功していたとしても、表示中（実行中）のアプリのアプリ利用権限がなければ、実行中のアプリのジョブを停止することはできない。
【０００６】
また、実行中のジョブに対して停止の指示が入力された場合、実行中のジョブと予約ジョブの全てを一旦停止させる設定にした場合、認証画面を表示した時点で全てのジョブを一旦停止するが、実行中のアプリのアプリ利用権限がなければ、停止操作は拒絶されて全てのジョブが再開されてしまう。
したがって、ユーザにとってアプリ利用権限のないアプリが実行中は、それ以外の他の予約ジョブに対する設定変更又は削除の操作ができないという問題があった。
【０００７】
この発明は上記の点に鑑みてなされたものであり、認証に成功した場合にジョブの操作を許可するとき、実行中と実行待機中のそれぞれのジョブがあった場合、実行中のジョブの認証を経ないでも実行待機中のジョブの操作を行えるようにすることを目的とする。
【課題を解決するための手段】
【０００８】
この発明は上記の目的を達成するため、画像処理に係るジョブを実行するジョブ実行手段と、ユーザから入力された認証情報を用いた認証が成功した場合にジョブ実行手段によって実行するジョブの操作を許可する認証手段を備えた画像処理装置であって、ユーザからのジョブ実行停止指示を検出するジョブ実行停止指示検出手段と、そのジョブ実行停止指示検出手段がジョブ実行停止指示を検出したとき、上記ユーザからの認証情報の入力を受け付けることなく、且つ認証手段による認証を経ることなく、上記ユーザから実行中のジョブの操作、及び実行待機中のジョブの一覧表示の指示を受け付ける第１指示受付手段と、その第１指示受付手段が上記実行待機中のジョブの一覧表示の指示を受け付けた場合、表示手段に実行待機中のジョブを一覧表示する一覧画面を表示させ、上記ユーザからの上記一覧画面でのジョブの選択の指示とその選択されたジョブの操作の指示を受け付ける第２指示受付手段と、第１指示受付手段が上記実行中のジョブの操作の指示を受け付けた場合に上記認証情報の入力を受け付け、第２指示受付手段が上記実行待機中のジョブの操作の指示を受け付けた場合にも上記認証情報の入力を受け付ける認証情報受付手段と、第１指示受付手段で受け付けた実行中のジョブの操作の指示に基いて認証情報受付手段で受け付けた認証情報を用いて認証手段が認証に成功して上記実行中のジョブの操作を許可した場合は、上記実行中のジョブの操作を実行し、第２指示受付手段で受け付けたジョブの選択の指示とその選択されたジョブの操作の指示に基いて認証情報受付手段で受け付けた認証情報を用いて上記認証手段が認証に成功して上記選択された実行待機中のジョブの操作を許可した場合は、上記選択された実行待機中のジョブの操作を実行する操作実行手段と、上記ジョブ実行停止指示検出手段がジョブ実行停止指示を検出したとき、実行待機中のジョブの有無を判断する判断手段と、その判断手段が実行待機中のジョブがあると判断した場合は、上記第１指示受付手段を有効にし、上記判断手段が実行待機中のジョブがないと判断した場合は、上記第１指示受付手段を無効にし、上記認証情報受付手段に上記認証情報の入力を受け付けさせ、その認証情報受付手段が受け付けた認証情報を用いて上記認証手段が認証に成功して上記実行中のジョブの操作を許可した場合は、上記操作実行手段に上記実行中のジョブの操作を実行させる手段と
を備えた画像処理装置を提供する。
【発明の効果】
【０００９】
この発明による画像処理装置と画像処理装置の処理方法とプログラムは、認証に成功した場合にジョブの操作を許可するとき、実行中と実行待機中のそれぞれのジョブがあった場合、実行中のジョブの認証を経ないでも実行待機中のジョブの操作を行えるようにすることができる。
【図面の簡単な説明】
【００１０】
【図１】発明の一実施形態である画像処理装置の機能構成を示すブロック図である。
【図２】図１に示した画像処理装置１がユーザからのジョブ実行停止要求の指示を検出したときの処理を示すフローチャート図である。
【図３】画像処理装置でジョブ実行停止指示があった場合の参考となる画面表示例を示す図である。
【図４】同じく画像処理装置でジョブ実行停止指示があった場合の参考となる画面表示例を示す図である。
【図５】図１に示す画像処理装置におけるジョブ実行停止指示があった場合の画面表示例を示す図である。
【図６】同じく図１に示す画像処理装置におけるジョブ実行停止指示があった場合の画面表示例を示す図である。
【発明を実施するための形態】
【００１１】
以下、発明を実施するための形態を図面に基づいて具体的に説明する。
図１は、発明の一実施形態である画像処理装置の機能構成を示すブロック図である。
画像処理装置１は、ファクシミリ通信、画像読み取り、印刷、及び複写等の画像処理に係る機能を備えた複合機であり、画像処理装置１の全体の制御を司る制御部２を備えている。この画像処理装置１は画像形成装置とも呼ぶ。
【００１２】
また、原稿の画像を読み取り、その画像データを入力するスキャナ部（画像読取部）１１と、ファクシミリ通信、ネットワーク通信によって受信したデータ、スキャナ部１１によって読み取った画像データを印刷するプロッタ部１２とを備えた画像形成手段である画像形成部５と、ユーザ（利用者）が画像処理装置１に対する各種の指示を入力すると共に、ユーザに対する各種の画面を表示する表示手段である操作表示部３と、画像データを含む各種のデータを記憶する記憶部４を備えている。
【００１３】
制御部２は、画像処理装置１の全体の制御を司る制御手段であるＣＰＵと、ＣＰＵが実行するプログラム（「ファームウェア」ともいう）を記憶したＲＯＭと、ＣＰＵがＲＯＭのプログラムを実行する際の作業領域として使用すると共に、画像データを含む各種情報を記憶するＲＡＭを有する。
【００１４】
上記プログラムには、データ通信、画像読み取り、印刷、又は複写等を含む画像処理に係るジョブを実行するジョブ実行手順（ジョブ実行工程の処理）と、ユーザから入力された認証情報を用いた認証が成功した場合に上記ジョブ実行手順（ジョブ実行工程の処理）によって実行するジョブの操作（例えば、削除及び設定変更を含む操作）を許可する認証手順（認証工程の処理）が含まれている。
【００１５】
また、上記プログラムには、ユーザからのジョブ実行停止指示を検出するジョブ実行停止指示検出手順（ジョブ実行停止指示検出工程の処理）と、そのジョブ実行停止指示検出手順（ジョブ実行停止指示検出工程の処理）でジョブ実行停止指示を検出したとき、上記ユーザからの認証情報の入力を受け付けることなく、且つ上記認証手順（認証工程の処理）による認証を経ることなく、上記ユーザから実行中のジョブの操作、及び実行待機中のジョブの一覧表示の指示を受け付ける第１指示受付手順（第１指示受付工程の処理）が含まれている。
【００１６】
さらに、上記プログラムには、上記第１指示受付手順（第１指示受付工程の処理）で上記実行待機中のジョブの一覧表示の指示を受け付けた場合、表示手段に実行待機中のジョブを一覧表示する一覧画面を表示させ、上記ユーザからの上記一覧画面でのジョブの選択の指示とその選択されたジョブの削除又は設定変更の指示を受け付ける第２指示受付手順（第２指示受付工程の処理）と、上記第１指示受付手順（第１指示受付工程の処理）で上記実行中のジョブの操作の指示を受け付けた場合に上記認証情報の入力を受け付け、上記第２指示受付手順（第２指示受付工程の処理）で上記実行待機中のジョブの操作の指示を受け付けた場合にも上記認証情報の入力を受け付ける認証情報受付手順（認証情報受付工程の処理）が含まれている。
【００１７】
また、上記プログラムには、上記第１指示受付手順（第１指示受付工程の処理）で受け付けた実行中のジョブの操作の指示に基いて上記認証情報受付手順（認証情報受付工程の処理）で受け付けた認証情報を用いて上記認証手順（認証工程の処理）で認証に成功して上記実行中のジョブの操作を許可した場合は、上記実行中のジョブの操作を実行し、上記第２指示受付手順（第２指示受付工程の処理）で受け付けたジョブの選択の指示とその選択されたジョブの操作の指示に基いて上記認証情報受付手順（認証情報受付工程の処理）で受け付けた認証情報を用いて上記認証手順（認証工程の処理）で認証に成功して上記選択された実行待機中のジョブの操作を許可した場合は、上記選択された実行待機中のジョブの操作を実行する操作実行手順（操作実行工程の処理）が含まれている。
【００１８】
さらに、上記プログラムには、上記ジョブ実行停止指示検出手順（ジョブ実行停止指示検出工程の処理）でジョブ実行停止指示を検出したとき、実行待機中のジョブの有無を判断し、実行待機中のジョブがあると判断した場合、上記第１指示受付手順（第１指示受付工程の処理）を有効にし、実行待機中のジョブがないと判断した場合、上記第１指示受付手順（第１指示受付工程の処理）を無効にし、上記認証情報の入力を受け付け、その受け付けた認証情報を用いて上記認証手順（認証工程の処理）で認証に成功して上記実行中のジョブの操作を許可した場合は、上記実行中のジョブの操作を実行する手順を含む。
【００１９】
そして、制御部２は、上記ＣＰＵが上記各手順を含む処理を実行することによって実現される機能部として、操作表示制御部６、ジョブ制御部７、認証制御部８、通信制御部９及び画像処理部１０を備えている。
操作表示制御部６は、操作表示部３からのユーザによる指示入力と画面表示の制御を司り、ユーザからのジョブ実行停止要求をジョブ制御部７へ送り、ユーザからの認証情報を認証制御部８へ送り、ユーザからの実行中のジョブの操作、及び複数の予約ジョブから選択された予約ジョブの操作の指示をジョブ制御部７へ送る。
また、操作表示制御部６は、ユーザからの指示に応じた選択画面、一覧画面を含む各種の画面を表示する。
【００２０】
すなわち、ユーザからのジョブ実行停止指示を検出するジョブ実行停止指示検出手段と、そのジョブ実行停止指示検出手段がジョブ実行停止指示を検出したとき、ユーザからの認証情報の入力を受け付けることなく、且つ認証制御部８による認証を経ることなく、ユーザから実行中のジョブの削除又は設定変更を含む操作、及び実行待機中のジョブの一覧表示の指示を受け付ける第１指示受付手段の機能を果たす。
【００２１】
また、操作表示制御部６は、上記第１指示受付手段が実行待機中のジョブの一覧表示の指示を受け付けた場合、操作表示部３に実行待機中のジョブを一覧表示する一覧画面を表示させ、ユーザからの一覧画面でのジョブの選択の指示とその選択されたジョブの操作の指示を受け付ける第２指示受付手段と、上記第１指示受付手段が実行中のジョブの操作の指示を受け付けた場合に認証情報の入力を受け付け、上記第２指示受付手段が実行待機中のジョブの操作の指示を受け付けた場合にも認証情報の入力を受け付ける認証情報受付手段の機能を果たす。
【００２２】
ジョブ制御部７は、通信制御部９を用いて通信網上の他の画像処理装置、又は情報処理装置との間の画像データのファクシミリ送受信又はインターネットを介したデータ通信の制御を司る。
また、ジョブ制御部７は、スキャナ部１１を用いた画像読み取りの制御と、プロッタ部１２を用いた画像データの印刷の制御と、スキャナ部１１及びプロッタ部１２を用いた複写の制御を司る。
すなわち、ジョブ制御部７は、データ通信、画像読み取り、印刷、又は複写を含む画像処理に係るジョブを実行するジョブ実行手段の機能を果たす。
【００２３】
さらに、ジョブ制御部７は、操作表示制御部６から送られたユーザによるジョブ停止要求の指示を受けて、実行中のジョブの停止、及び予約ジョブの実行停止をする。
また、ジョブ制御部７は、認証制御部８からジョブの操作を許可する通知を受け取ると、操作表示制御部６からの指示されたジョブ又は予約ジョブの操作を実行し、その実行後はジョブの実行停止を解除して再開する。
さらに、ジョブ制御部７は、認証制御部８から不許可の通知を受け取ると、ユーザからの指示を無効としてジョブの実行停止を解除して再開する。
【００２４】
さらにまた、ジョブ制御部７は、上記ジョブ実行停止指示検出手段がジョブ実行停止指示を検出したとき、実行待機中のジョブの有無を判断し、実行待機中のジョブがあると判断した場合、上記第１指示受付手段を有効にし、実行待機中のジョブがないと判断した場合、上記第１指示受付手段を無効にし、上記認証情報の入力を受け付け、その受け付けた認証情報を用いて上記認証手段が認証に成功して上記実行中のジョブの操作を許可した場合は、上記操作実行手段に上記実行中のジョブの操作を実行させる手段の機能も果たす。
【００２５】
認証制御部８は、ユーザからの認証情報と記憶部４に予め登録された認証情報とを照合して認証の成功か失敗かを判断する。
上記認証情報は、この画像処理装置１の利用権限を有するユーザに付与される情報であり、例えば、ユーザＩＤとパスワードとからなる。
また、この画像処理装置１では、ユーザ毎に画像処理装置１の利用と共にデータ通信機能、画像読取機能、印刷機能、複写機能を含む複数種類の機能毎に利用権限の有無を設けている。
【００２６】
例えば、ユーザＡには上記全ての機能の利用権限を付与し、ユーザＢには印刷機能のみの利用権限を付与するといったようにである。
このユーザＩＤは、例えば、画像処理装置１の管理者がユーザ毎に付与し、ユーザ毎に異なる識別情報である。
また、上記ユーザＩＤに対応するパスワードは、ユーザが任意に設定してもよいし、あるいは管理者によってユーザに付与したものでもよい。
【００２７】
そして、上記ユーザ毎のユーザＩＤとパスワードと、そのユーザに利用権限を付与した機能の種類を示す識別情報を対応させて記憶部４に記憶する。
上記ユーザＩＤとパスワードと利用権限を付与した機能の種類を示す識別情報の記憶形式は、例えばテーブル形式で記憶すれば、認証制御部８が認証の処理の際に参照し易くすることができる。
【００２８】
そして、認証制御部８は、画像処理装置１の各機能毎の利用について、ユーザからのユーザＩＤ及びパスワードと記憶部４のユーザＩＤ及びパスワードとの一致を確認し、ユーザが利用を要求している機能、及び削除又は設定変更を要求しているジョブを実行中の機能が記憶部４のユーザＩＤ及びパスワードに対応する利用権限を付与した機能の種類を示す識別情報の示す機能と合致すれば認証の成功と判断し、不一致ならば認証の失敗と判断する。
【００２９】
また、認証制御部８は、認証の成功ならユーザから指示されたジョブ（予約ジョブ）の削除又は設定変更を許可する通知をジョブ制御部７へ通知し、認証の失敗なら不許可の通知を通知する。
すなわち、この認証制御部８は、ユーザから入力された認証情報を用いた認証が成功した場合に前記ジョブ実行手段によって実行するジョブの操作を許可する認証手段の機能を果たす。
【００３０】
通信制御部９は、電話回線、ネットワーク通信網、インターネットを含む通信網を介して外部装置との間のファクシミリ通信（ＦＡＸ送信、ＦＡＸ受信）とネットワーク通信とインターネット通信を制御する。
さらに、画像処理部１０は、スキャナ部１１とプロッタ部１２向けの各種の画像処理を制御する。
【００３１】
次に、画像処理装置１がユーザからのジョブ実行停止要求の指示を検出したときの処理について説明する。
図２は、図１に示した画像処理装置１がユーザからのジョブ実行停止要求の指示を検出したときの処理を示すフローチャート図である。
図１に示した画像処理装置１では、図１のジョブ制御部７によってジョブ実行手順（ジョブ実行工程）が実行される。また、図１の認証制御部８によって認証手順（認証工程）が実行される。
【００３２】
ステップ（図中「Ｓ」で示す）１では、図１の操作表示制御部６が、ユーザからのジョブ実行停止指示を検出すると、図１のジョブ制御部７にジョブ実行停止指示を通知して、ステップ２へ進む。
ステップ１のジョブ実行停止指示は、例えば、ユーザが操作表示部３に設けたストップキーを押下したことで検出する。
このステップ１はジョブ実行停止指示検出手順（ジョブ実行停止指示検出工程）に相当する。
【００３３】
ステップ２では、図１のジョブ制御部７が、実行中のジョブ及び実行待機中の予約ジョブの実行を停止させるジョブ実行停止処理を実施し、ステップ３へ進む。
ステップ３では、図１の操作表示制御部６が、図１の操作表示部３にジョブ操作画面を表示し、ユーザからの認証情報の入力を受け付けることなく、且つ認証を経ることなく、ユーザから実行中のジョブの操作、及び実行待機中のジョブの一覧表示の指示を受け付け、ステップ４へ進む。
【００３４】
上記ジョブ操作画面には、実行中のジョブの操作を指示するキー、実行中のジョブ及び実行待機中のジョブの一覧表示を指示するキー、ジョブの実行停止を解除してジョブの実行を継続させる指示のキーを表示する。
そして、図１の操作表示制御部６は、ジョブ操作画面によってユーザからの実行中のジョブの操作の指示、実行中のジョブ及び実行待機中のジョブの一覧表示の指示、ジョブの実行停止を解除してジョブの実行を継続させる指示を受け付ける。
このステップ３は第１指示受付手順（第１指示受付工程）に相当する。
【００３５】
ステップ４では、図１の操作表示制御部６が、図１の操作表示部３からユーザのジョブ一覧表示の指示があったか否かを判断し、ジョブ一覧表示の指示があった場合（Ｙの場合）はステップ５へ進み、ジョブ一覧表示の指示がなかった場合（Ｎの場合）はステップ１１へ進む。
ステップ５では、図１の操作表示制御部６が、図１の操作表示部３にジョブ一覧画面を表示し、その一覧画面に実行中のジョブ及び実行待機中のジョブを一覧表示させ、ユーザからのジョブ一覧画面でのジョブの選択の指示とその選択されたジョブの操作の指示を受け付け、ステップ６へ進む。
【００３６】
上記一覧画面には、実行中のジョブ及び実行待機中の予約ジョブを一覧表示し、その一覧表示されたジョブ及び予約ジョブから操作の対象とするジョブを選択し、その選択されたジョブの操作を指示するキー、ジョブの実行停止を解除してジョブの実行を継続させる指示のキーを表示する。
このステップ５が第２指示受付手順（第２指示受付工程）に相当する。
【００３７】
ステップ６では、図１の操作表示制御部６が、図１の操作表示部３からユーザのジョブの選択と、その選択されたジョブの操作の指示があったか否かを判断し、ジョブの選択と操作の指示があった場合（Ｙの場合）はステップ７へ進み、ジョブの選択と操作の指示がなかった場合（Ｎの場合）はステップ５へ戻ってジョブ一覧画面の表示を継続する。
ステップ６において、図１の操作表示制御部６は、ユーザのジョブの選択と、その選択されたジョブの操作の指示をジョブ制御部７に通知する。
【００３８】
ステップ７では、図１の操作表示制御部６が、図１の操作表示部３に認証画面を表示し、図１の操作表示部３からユーザのユーザＩＤ及びパスワードの入力を受け付け、ステップ８へ進む。
上記認証画面は、ユーザに自己のユーザＩＤとパスワードを入力させるための画面である。
このステップ７は認証情報受付手順（認証情報受付工程）に相当する。
そして、図１の認証制御部８が、ステップ７で受け付けたユーザＩＤとパスワードを図１の操作表示制御部６から受け取ると、図１の記憶部４に登録された認証情報を用いて認証を行う。
【００３９】
ステップ８では、図１の認証制御部８が、認証成功か否かを判断し、認証成功の場合（Ｙの場合）はステップ９へ進み、認証成功でない場合、すなわち、認証失敗の場合（Ｎの場合）はステップ１０へ進む。
ステップ８において、図１の認証制御部８は、図１のジョブ制御部７に認証成功あるいは認証失敗を通知する。
ステップ８の判断では、実行中のジョブ及び実行待機中のジョブの中から選択されたジョブの操作の指示について、その指示をしたユーザが選択したジョブを実行する機能の利用権限を有する場合は認証成功と判断し、利用権限を有しない場合は認証失敗と判断する。
【００４０】
ステップ９では、図１のジョブ制御部７が、図１の認証制御部８から認証成功の通知を受け、図１の操作表示制御部６から通知されたユーザによって選択されたジョブの操作を実行し、ステップ１０へ進む。
ステップ１０では、図１のジョブ制御部７が、ジョブの実行停止を解除し、停止中のジョブの実行を再開し、この処理を終了する。
【００４１】
ステップ１０において、図１のジョブ制御部７は、実行中のジョブを削除した場合は、予約ジョブから次に実行するものを実行し、予約ジョブを削除した場合は実行停止したジョブを再開する。また、実行中のジョブの設定変更をした場合は、変更後の設定によってジョブを再実行する。
一方、ステップ１１では、図１の操作表示制御部６が、図１の操作表示部３からユーザの実行中のジョブの操作の指示があったか否かを判断し、実行中のジョブの操作の指示があった場合（Ｙの場合）はステップ１２へ進み、実行中のジョブの操作の指示がなかった場合（Ｎの場合）はステップ１３へ進む。
【００４２】
ステップ１２では、図１の操作表示制御部６が、図１の操作表示部３に認証画面を表示し、実行中のジョブの操作の指示を受け付け、ステップ８へ進む。
このステップ１２も認証情報受付手順（認証情報受付工程）に相当する。
この場合のステップ８の判断では、実行中のジョブの操作の指示について、その指示をしたユーザが選択したジョブを実行する機能の利用権限を有する場合は認証成功と判断し、利用権限を有しない場合は認証失敗と判断する。
【００４３】
また、ステップ１３では、図１の操作表示制御部６が、図１の操作表示部３からジョブの停止を解除して処理を継続する継続指示があったか否かを判断し、継続指示があった場合（Ｙの場合）はステップ１０へ進んでジョブの実行停止を解除し、継続指示がなかった場合（Ｎの場合）はステップ３へ戻ってジョブ操作画面の表示を継続する。
上記ステップ８〜１０は操作実行手順（操作実行工程）に相当する。
このようにして、認証に成功した場合にジョブの削除と設定変更を許可するとき、実行中と実行待機中のそれぞれのジョブがあった場合、実行中のジョブの認証を経ないでも実行待機中のジョブの削除と設定変更を可能にすることができる。
【００４４】
また、上述の処理について、次のような制御処理を追加しても良い。
図１のジョブ制御部７は、操作表示制御部６からジョブ実行停止指示の通知を受けると、上記ステップ２の処理の後、実行待機中のジョブの有無を判断する処理のステップを実行する。
この判断処理では、記憶部４を直接参照して実行待機中のジョブの有無を判断しても良いし、ジョブ制御部７が管理する実行待機中のジョブ一覧のテーブルデータ（このテーブルデータは、例えば、図示を省略したＲＡＭに記憶されている）を参照して判断しても良い。
【００４５】
そして、図１のジョブ制御部７は、実行待機中のジョブがあると判断した場合、操作表示制御部６の上記第１指示受付手順（第１指示受付工程）の処理を有効にする処理のステップを実行することにより、上記ステップ３へ処理は移行する。その後は、上述した処理の流れが実行される。
一方、図１のジョブ制御部７は、実行待機中のジョブがないと判断した場合、操作表示制御部６の上記第１指示受付手順（第１指示受付工程）の処理を無効にする処理のステップを実行する。
【００４６】
操作表示制御部６は、その無効により、図１の操作表示部３に認証画面を表示し、図１の操作表示部３からユーザのユーザＩＤ及びパスワードの入力を受け付け、現在実行中の機能の認証のための認証情報の入力を受け付ける処理のステップを実行する。
さらに、図１の認証制御部８が、認証成功か否かを判断し、図１の操作表示制御部６に認証成功あるいは認証失敗を通知する処理のステップを実行する。
そして、図１の操作表示制御部６は、図１の認証制御部８から認証成功の通知を受けると、現在実行中のジョブの操作を可能にするジョブ操作画面を操作表示部３に表示し、認証成功でない通知を受けると、認証失敗の通知画面を表示する。
【００４７】
上記認証失敗の通知は図１のジョブ制御部７にも通知され、図１のジョブ制御部７は、実行中のジョブを削除した場合は、ジョブの実行停止を解除し、停止中のジョブの実行を再開し、この処理を終了する。
また、図１の操作表示制御部６が、ジョブ操作画面の表示において、図１の操作表示部３から現在実行中のジョブの操作の指示があったか否かを判断し、操作の指示があった場合は、図１のジョブ制御部７にその操作の実行を通知し、図１のジョブ制御部７が、現在実行中のジョブに対する操作を実行する。
【００４８】
このようにして、実行待機中ジョブが無く現在実行中のジョブのみの場合は、直ちに認証を求めるので、ユーザがジョブ操作画面に早く到達することができ、ユーザの操作性を向上させることができる。
【００４９】
次に、画像処理装置１におけるジョブ実行停止指示があった場合の画面表示例について説明する。
図３及び図４は、画像処理装置でジョブ実行停止指示があった場合の参考となる画面表示例を示す図である。
図５及び図６は、図１に示す画像処理装置１におけるジョブ実行停止指示があった場合の画面表示例を示す図である。
【００５０】
まず、図３及び図４を用いて、画像処理装置でジョブ実行停止指示があった場合の参考となる画面表示例を説明する。
この説明において、ユーザＡは画像処理装置のコピー印刷の機能の利用権限を持ち、ユーザＢは画像処理装置の印刷機能の利用権限のみ持つものとする。
ユーザＡが画像処理装置においてコピー印刷を実行すると、その実行中は図３の表示画面２０を表示する。この表示画面２０には、コピー印刷実行中であることを示すメッセージを表示し、ユーザが認証画面の表示を指示するためのログイン画面２１を表示している。
【００５１】
なお、このログイン画面２１は、ユーザが画像形成装置にログインしていない場合にのみ表示画面２０に表示される。
つまり、図３のログイン画面２１を含む表示画面２０が表示された状態は、ユーザＡが画像形成装置にログインして印刷機能の実行を開始した後にログアウトした状態である（後述する図４の表示画面３０、図５の表示画面４０や、図６の表示画面５０も同様）。
【００５２】
図３の表示画面２０の表示中、ユーザＢが自己の操作するＰＣから画像処理装置へ印刷のジョブを送信し、予約ジョブとして登録した後、その予約ジョブを削除するために、画像処理装置まで行って、図３の表示画面２０の表示中にジョブ実行停止指示のストップキー（図示を省略）を押下した場合を説明する。
【００５３】
画像処理装置はジョブの実行を停止した後、表示画面２２でユーザが認証画面の表示を指示するためのログイン画面２３を表示すると、画像処理装置はログイン画面２３で呼び出される認証画面では、実行停止中のジョブを実行するコピー印刷機能の利用権限の有無を判断するので、ユーザＡが認証画面でユーザＩＤ及びパスワードを入力すると認証成功し、表示画面２５を表示してコピー印刷中のジョブの削除、ジョブ一覧、処理継続の指示を入力できるジョブ操作画面２６を表示する。
【００５４】
一方、ユーザＢが、ログイン画面２３で呼び出した認証画面でユーザＩＤ及びパスワードを入力すると、ユーザＢは表示画面２２を表示しているコピー印刷の機能については利用権限がないため、認証失敗し、表示画面２４のように利用権限がない旨のメッセージを表示すると共に、停止中のジョブを再開するので、ユーザＢはＰＣから画像処理装置に登録した予約ジョブを削除するためには、その予約ジョブが開始されるまで手の施しようが無く、用紙を無駄に使用してしまう。
【００５５】
また、図４の表示画面３０は、ユーザＡが画像処理装置においてコピー印刷を実行中の画面であり、このジョブの他に予約ジョブがない場合、ユーザＡがログイン画面３１で呼び出される認証画面では、実行停止中のジョブを実行するコピー印刷機能の利用権限の有無を判断するので、ユーザＡが認証画面でユーザＩＤ及びパスワードを入力すると認証成功し、表示画面３４を表示してコピー印刷中のジョブの削除、処理継続の指示を入力できるジョブ操作画面３５を表示する。
【００５６】
次に、この実施形態の画像処理装置１におけるジョブ実行停止指示があった場合の画面表示例を説明する。
図５に示した画面の遷移は図２のフローチャート図で示した処理によって実行される。
また、図５に示した画面の遷移は、図２のフローチャート図の処理に、実行待機中のジョブの有無の判断処理を追加し、その判断処理で実行待機中のジョブがある場合の処理例でも実行される。
この説明において、ユーザＡは画像処理装置のコピー印刷の機能の利用権限を持ち、ユーザＢは画像処理装置の印刷機能の利用権限のみ持つものとする。
ユーザＡが画像処理装置においてコピー印刷を実行すると、その実行中は図５の表示画面４０を表示する。この表示画面４０には、コピー印刷実行中であることを示すメッセージを表示し、ユーザが認証画面の表示を指示するためのログイン画面４１を表示している。
【００５７】
図５の表示画面４０の表示中、ユーザＢが自己の操作するＰＣから画像処理装置１へ印刷のジョブを送信し、画像処理装置１に予約ジョブとして登録した後、その予約ジョブを削除するために、画像処理装置１まで行って、図５の表示画面４０の表示中にジョブ実行停止指示のストップキー（図示を省略）を押下した場合を説明する。
【００５８】
画像処理装置１は、実行中のジョブ及び予約ジョブの実行を停止した後、図１の操作表示部３に表示画面４２を表示する。その表示画面４２にはジョブ操作画面４３を表示する。
このジョブ操作画面４３には、実行中のジョブの削除を指示する削除キーと、実行中のジョブ及び実行待機中のジョブの一覧表示を指示するジョブ一覧キーと、ジョブの実行停止を解除してジョブの実行を継続させる指示の継続キーを表示する。
ユーザＢは、ジョブ操作画面４３のジョブ一覧キーを押下すると、画像処理装置１は表示画面４４でジョブ一覧画面４５を表示する。
【００５９】
このジョブ一覧画面４５には、実行中のジョブ及び実行待機中のジョブを一覧表示し、ユーザからのジョブ一覧画面でのジョブの選択の指示とその選択されたジョブの削除を指示する削除キーを表示する。
ユーザＢは、ジョブ一覧画面４５のうち、自己が予約した予約ジョブ（図中「ジョブ２」）のボタンを押下して削除キーを押下すると、画像処理装置１は表示画面４６でログイン画面４７を表示する。
【００６０】
ここで、ユーザＢがログイン画面４７で呼び出される認証画面でユーザＩＤ及びパスワードを入力すると、自己が予約した予約ジョブを実行する印刷機能の利用権限の有無を判断するので、ユーザＢは認証成功し、自己が予約した予約ジョブを実行前に削除することができる。
このようにして、実行中と実行待機中のそれぞれのジョブがあった場合、実行中のジョブの認証を経ないでも実行待機中のジョブの削除を行える。
【００６１】
また、表示画面４２のジョブ操作画面４３でユーザＡが削除キーを押下すると、画像処理装置は表示画面４８のログイン画面２９で呼び出される認証画面では、実行停止中のジョブを実行するコピー印刷機能の利用権限の有無を判断するので、ユーザＡが認証画面でユーザＩＤ及びパスワードを入力すると認証成功し、実行途中のコピー印刷のジョブを削除して、表示画面５１を表示して新たなコピー印刷が可能な状態であることを示すメッセージを表示し、処理待機状態に移行する。
【００６２】
一方、表示画面４２のジョブ操作画面４３でユーザＢが削除キーを押下すると、画像処理装置は表示画面４８のログイン画面２９で呼び出される認証画面では、実行停止中のジョブを実行するコピー印刷機能の利用権限の有無を判断するので、ユーザＢが認証画面でユーザＩＤ及びパスワードを入力しても認証失敗し、表示画面５０を表示してコピー印刷の機能の利用権限がない旨のメッセージを表示し、停止中のジョブを再開する。
このようにして、ユーザによる利用権限のない機能で実行される他のユーザのジョブへの操作を禁止することができる。
【００６３】
図６に示す画面の遷移は、図２のフローチャート図の処理に、実行待機中のジョブの有無の判断処理を追加し、その判断処理で実行待機中のジョブがない場合の処理例で実行される。
この説明において、ユーザＡは画像処理装置のコピー印刷の機能の利用権限を持ち、ユーザＢは画像処理装置の印刷機能の利用権限のみ持つものとする。
また、ユーザＡによるコピー印刷実行中のみであり、他の予約ジョブはないものとする。
ユーザＡが画像処理装置においてコピー印刷を実行すると、その実行中は図６の表示画面６０を表示する。この表示画面６０には、コピー印刷実行中であることを示すメッセージを表示し、ユーザが認証画面の表示を指示するためのログイン画面６１を表示している。
【００６４】
図６の表示画面６０の表示中、ユーザＡがジョブ実行停止指示のストップキー（図示を省略）を押下した場合を説明する。
画像処理装置１は、ジョブの実行を停止した後、表示画面６２でユーザが認証画面の表示を指示するためのログイン画面６３を表示すると、画像処理装置１はログイン画面６３で呼び出される認証画面では、実行停止中のジョブを実行するコピー印刷機能の利用権限の有無を判断するので、ユーザＡが認証画面でユーザＩＤ及びパスワードを入力すると認証成功し、表示画面６５を表示してコピー印刷中のジョブの削除、処理継続の指示を入力できるジョブ操作画面６６を表示する。
【００６５】
一方、ユーザＢが、ログイン画面６３で呼び出した認証画面でユーザＩＤ及びパスワードを入力すると、ユーザＢは表示画面６２を表示しているコピー印刷の機能については利用権限がないため、認証失敗し、表示画面６４のように利用権限がない旨のメッセージを表示すると共に、停止中のジョブを再開するので、ユーザＢが利用権限のないコピー印刷の機能で実行されているユーザＡのジョブを削除することはできない。
【００６６】
上述の処理により、ジョブの実行中、それを実行している機能の利用権限を持っていないユーザが、この機能についての認証を経ずに、自己が利用権限を持っている機能で実行する予約ジョブの削除の操作を行うことができる。
なお、上記認証画面の表示については、ユーザの次の操作回数に基いて認証画面の表示を先にするか否かを決定することができる。
また、次に表示する画面でできる操作がジョブの操作だけしかないか否かと、ユーザの次の操作回数とに基いて認証画面の表示を先にするか否かを決定することもできる。
さらに、上述の処理では、ジョブの削除について説明したが、ジョブの設定変更についても上述と同様にして実施できる。
【００６７】
この実施形態の画像処理装置１は、ジョブ実行中にそのジョブの画面を表示中、ユーザからのストップキーの押下を検出すると、実行中のジョブと予約ジョブの実行を停止する。
その後、実行中のジョブの削除の指示と実行中のジョブ及び予約ジョブの一覧表示の指示ができる選択画面を表示する。
さらに、選択画面からジョブの一覧表示が指示されると、実行中のジョブ及び予約ジョブの一覧表示と、その一覧表示中からジョブを選択し、その選択したジョブの削除が指示できる一覧画面を表示する。
【００６８】
そして、一覧画面でジョブが選択されて削除が指示された場合に認証画面を表示し、その認証画面でユーザが入力した認証情報を用いて認証が成功すれば、一覧画面で選択されたジョブの削除を実行する。
したがって、認証に成功した場合にジョブの削除と設定変更を許可するとき、実行中と実行待機中のそれぞれのジョブがあった場合、実行中のジョブの認証を経ないでも実行待機中のジョブの削除と設定変更を行える。
【符号の説明】
【００６９】
１：画像処理装置    ２：制御部    ３：操作表示部    ４：記憶部    ５：画像形成部    ６：操作表示制御部    ７：ジョブ制御部    ８：認証制御部    ９：通信制御部    １０：画像処理部    １１：スキャナ部    １２：プロッタ部    ２１、２３、３１、３３、４１、４７、４９、６１、６３：認証画面    ２６、３５、４３、６６：ジョブ操作画面    ４５：ジョブ一覧画面
【先行技術文献】
【特許文献】
【００７０】
【特許文献１】特開２００１−１１１７４３号公報
【特許文献２】特開２００５−１６１６７７号公報
【図１】
0005810776.tif 000002
【図２】
0005810776.tif 000003
【図３】
0005810776.tif 000004
【図４】
0005810776.tif 000005
【図５】
0005810776.tif 000006
【図６】
0005810776.tif 000007